(57)【要約】【課題】  カメラ本体への組み込み後も、レンズユニットの不揮発性メモリを活用する装置を提供する。【解決手段】  撮像装置１のカメラ本体３０に組み込まれるレンズユニット１０は、ズームレンズ１１、フォーカスレンズ１４と、撮像素子１５と、絞り１２と、シャッタ１３と、ＥＥＰＲＯＭ１６とを備え、ＥＥＰＲＯＭ１６には、組み込み前のレンズユニット１０の調整時に得られ、組み込み時にカメラ本体３０に書き込みされるレンズユニット１０のレンズ調整値データが書き込まれ、組み込み後の正常使用時に得られる撮像装置の使用状況データと組み込み後の故障時に得られる撮像装置の故障状況データの少なくとも一方が書き込まれる。【選択図】        図１
2007057796.tif 000002
【特許請求の範囲】
【請求項１】
撮像装置のカメラ本体に組み込まれ、撮像光学系と、撮像素子と、絞りと、シャッタの少なくとも１つと、記録部とを備えるレンズユニットであって、
前記記録部には、前記組み込み前の前記レンズユニットの調整時に得られ、前記組み込み時に前記カメラ本体に書き込みされる前記レンズユニットのレンズ調整値データが書き込まれ、前記組み込み後の正常使用時に得られる前記撮像装置の使用状況データと前記組み込み後の故障時に得られる前記撮像装置の故障状況データの少なくとも一方が書き込まれることを特徴とするレンズユニット。
【請求項２】
前記使用状況データ、及び故障状況データは、前記レンズ調整値データが前記カメラ本体に書き込みされた領域に上書きされることを特徴とする請求項１に記載のレンズユニット。
【請求項３】
前記記録部には、前記レンズユニットの識別情報を有するレンズ識別データが書き込まれることを特徴とする請求項１に記載のレンズユニット。
【請求項４】
前記記録部は、電気的に内容を書き換えることが出来る不揮発性メモリであることを特徴とする請求項１に記載のレンズユニット。
【請求項５】
前記レンズ調整値データは、前記撮像素子の出力特性、前記撮像光学系の特性、前記絞り、及び前記シャッタの特性の少なくとも１つであって、前記レンズユニットの調整後のものであることを特徴とする請求項１に記載のレンズユニット。
【請求項６】
撮像装置のカメラ本体に組み込まれ、撮像光学系と撮像素子と絞りとシャッタの少なくとも１つと、記録部とを有するレンズユニット及び、前記カメラ本体の動作状態をモニターし、正常使用時に得られる使用状況データと故障時の故障状況データの少なくとも一方を生成する監視手段と、
前記組み込みされる時に、前記組み込み前の前記レンズユニットの調整時に得られたレンズ調整値データを前記記録部から読み出し、前記組み込みされた後は、前記使用状況データ、前記故障状況データの少なくとも一方を前記記録部に書き込み制御を行う制御手段とを備えるカメラ本体。
【発明の詳細な説明】
【技術分野】
【０００１】
本発明は、撮像装置に関し、特にカメラ本体に組み込まれるレンズユニットに関する。
【背景技術】
【０００２】
カメラ本体に組み込む（実装）前に、レンズユニットで調整されたレンズ調整値データを記録する不揮発性メモリを有するレンズユニットが提案されている。
【０００３】
特許文献１は、レンズ調整値データを記録する不揮発性メモリを有するレンズユニットを開示する。カメラ本体組み込み作業時に、レンズ調整値データはカメラ本体に書き込みされる。
【特許文献１】特開２００４−１９８４９６号公報
【発明の開示】
【発明が解決しようとする課題】
【０００４】
しかし、特許文献１のレンズユニットの不揮発性メモリには、カメラ本体への組み込み前の調整データが記録されるだけで、組み込まれた後は不要になっていた。
【０００５】
したがって本発明の目的は、カメラ本体への組み込み後も、レンズユニットの不揮発性メモリを活用する装置を提供することである。
【課題を解決するための手段】
【０００６】
本発明に係る撮像装置のカメラ本体に組み込まれるレンズユニットは、撮像光学系と、撮像素子と、絞りと、シャッタの少なくとも１つと、記録部とを備え、記録部には、組み込み前のレンズユニットの調整時に得られ、組み込み時にカメラ本体に書き込みされるレンズユニットのレンズ調整値データが書き込まれ、組み込み後の正常使用時に得られる撮像装置の使用状況データと組み込み後の故障時に得られる撮像装置の故障状況データの少なくとも一方が書き込まれる。
【０００７】
好ましくは、使用状況データ、及び故障状況データは、レンズ調整値データがカメラ本体に書き込みされた領域に上書きされる。
【０００８】
また、好ましくは、記録部には、レンズユニットの識別情報を有するレンズ識別データが書き込まれる。
【０００９】
また、好ましくは、記録部は、電気的に内容を書き換えることが出来るＲＯＭである。
【００１０】
また、好ましくは、レンズ調整値データは、撮像素子の出力特性、撮像光学系の特性、絞り、及びシャッタの特性の少なくとも１つであって、レンズユニットの調整後のものである。
【００１１】
本発明に係る撮像装置のカメラ本体は、撮像装置のカメラ本体に組み込まれ、撮像光学系と撮像素子と絞りとシャッタの少なくとも１つと、記録部とを有するレンズユニット及び、カメラ本体の動作状態をモニターし、正常使用時に得られる使用状況データと故障時の故障状況データの少なくとも一方を生成する監視手段と、組み込みされる時に、組み込み前のレンズユニットの調整時に得られたレンズ調整値データを記録部から読み出し、組み込みされた後は、使用状況データ、故障状況データの少なくとも一方を記録部に書き込み制御を行う制御手段とを備える。
【発明の効果】
【００１２】
以上のように本発明によれば、カメラ本体への組み込み後も、レンズユニットの不揮発性メモリを活用する装置を提供することができる。
【発明を実施するための最良の形態】
【００１３】
以下、本発明の実施形態について、図を用いて説明する。本実施形態における撮像装置１は、レンズユニット１０、及びカメラ本体３０とを備える（図１参照）。本実施形態では、撮像装置１は、デジタルカメラである。レンズユニット１０は、カメラ本体３０に組み込まれる。
【００１４】
レンズユニット１０は、ズームレンズ１１、絞り１２、シャッタ１３、フォーカスレンズ１４、撮像素子１５、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１６、ズームモータ２１、絞りドライブ２２、シャッタドライブ２３、フォーカスモータ２４、及びサーミスタ２５とを有する。
【００１５】
カメラ本体３０は、ＡＦＥ（Ａｎａｌｏｇｕｅ  Ｆｒｏｎｔ  Ｅｎｄ）３１、モータ駆動回路３２、ＣＰＵ（Ｃｅｎｔｒａｌ  Ｐｒｏｃｅｓｓｉｎｇ  Ｕｎｉｔ）３３、ＤＲＡＭ（Ｄｙｎａｍｉｃ  Ｒａｎｄｏｍ  Ａｃｃｅｓｓ  Ｍｅｍｏｒｙ）３４、ＲＯＭ（Ｒｅａｄ  Ｏｎｌｙ  Ｍｅｍｏｒｙ）３５、外部カードインターフェース３６、操作部３７、表示部３８、及び電源回路３９とを有する。
【００１６】
ズームレンズ１１は、カメラ本体３０内に設けられたモータ駆動回路３２から送られてくる制御信号に従って動作するズームモータ２１によって光軸方向に移動せしめられる。ズームレンズ１１が光軸方向に移動することにより、撮影倍率が変動する。絞り１２は、モータ駆動回路３２から送られてくる制御信号に従って動作する絞りドライブ２２によって開度が調節される。シャッタ１３は、モータ駆動回路３２から送られてくる制御信号に従って動作するシャッタドライブ２３によって開閉が調節される。フォーカスレンズ１４は、モータ駆動回路３２から送られてくる制御信号に従って動作するフォーカスモータ２４によって光軸方向に移動せしめられる。フォーカスレンズ１４が光軸方向に移動することにより、焦点調節が行われる。
【００１７】
ズームレンズ１１やフォーカスレンズ１４の光軸方向の位置は、エンコーダ（不図示）を介してカメラ本体３０のＣＰＵ３３にモニターされる。絞り１２、シャッタ１３の動作状態は、センサ（不図示）を介してＣＰＵ３３にモニターされる。ＣＰＵ３３によるモニターにより、ズームレンズ１１等が正常に動作しているか否かが把握される。ＣＰＵ３３は、レンズユニット１０の各部の動作状態をモニターする他、カメラ本体の各部の動作状態をモニターし、それぞれが正常に動作しているか否かを把握する。
【００１８】
撮像素子１５は、ＣＣＤ（Ｃｈａｒｇｅ  Ｃｏｕｐｌｅｄ  Ｄｅｖｉｃｅｓ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などのイメージセンサである。被写体像が撮像光学系（ズームレンズ１１、及びフォーカスレンズ１４）を介して投影された光学像は、撮像素子１５の撮像面に結像される。撮像素子１５は、光学像を光電変換によって電気信号に変換する。撮像素子１５で所定時間（露光時間）蓄積された後、読み出しされた電荷に基づく電気信号は、ＡＦＥ３１で、ＣＰＵ３３の制御の下、外部カードインターフェース３６を介して記録媒体に記録可能な画像信号、及び表示部３８で表示可能な画像信号に変換される。
【００１９】
ＥＥＰＲＯＭ１６は、電気的に内容を書き換えることが出来るＲＯＭであり、レンズ調整値データ、レンズ識別データ、使用状況データ、及び故障状況データを記録する。ＥＥＰＲＯＭ１６の記録容量は、レンズ調整値データとレンズ識別データとを合わせた容量より大きく、且つレンズ識別データと使用状況データと故障状況データとを合わせた容量より大きく設定される。
【００２０】
レンズ調整値データは、撮像素子の出力特性、ズームレンズ１１の移動位置（ズーム端）などズームレンズ１１、フォーカスレンズ１４の特性、シャッタ１３のシャッタディレイ度合いなどシャッタ１３や絞り１２の特性であり、レンズユニット１０の各部の調整後のものである。レンズ調整値データは、レンズユニット１０がカメラ本体に組み込みされる前の調整時に得られ、組み込み時にカメラ本体３０のＲＯＭ３５に書き込みされる。ＲＯＭ３５への書き込み終了後、ＥＥＰＲＯＭ１６に記録されたレンズ調整値データは、消去される（図４（１）、（２）参照）。
【００２１】
レンズ識別データは、シリアルナンバーなど、レンズユニット１０の個体を識別するデータを有する（図４参照）。
【００２２】
使用状況データは、レンズユニット１０のカメラ本体３０への組み込み終了後であって、撮像装置１の正常使用時に得られるレンズユニット１０、及びカメラ本体３０の使用状況を格納したデータである。使用状況データは、ズーム動作やレリーズスイッチの使用回数などであり、ＣＰＵ３３のイベント情報に基づいて作成される。使用状況データは、ＥＥＰＲＯＭ１６の、レンズ調整値データが書き込みされていてＲＯＭ３５への書き込み終了後に消去された記録領域に書き込みされる（図４（３）参照）。
【００２３】
使用状況データは、操作されたスイッチの状態（例えば、レリーズスイッチのオンオフ状態、記録／再生モード設定等使用者による動作指示の内容）と、そのスイッチ操作前後の各部の状態のデータである。具体的には、使用状況データは、ズームレンズ１１の累積移動回数、最新のズームレンズ１１の位置、シャッタ１３の累積シャッタ動作回数、最新の撮影動作時のシャッタ速度、フォーカスレンズ１４の累積フォーカス動作回数、最新のフォーカスレンズ１４の位置、最新のフォーカスレンズ１４周辺の温度情報、最新の各スイッチの状態を有する。
【００２４】
故障状況データは、レンズユニット１０のカメラ本体３０への組み込み終了後であって、レンズユニット１０、またはカメラ本体３０が故障した際に得られるレンズユニット１０の故障状況を格納したデータである。故障状況データは、ＣＰＵ３３の指示に対応して正常に動作しなかった状況などに基づいて作成される。故障状況データは、ＥＥＰＲＯＭ１６の、レンズ調整値データが書き込みされていてＲＯＭ３５への書き込み終了後に消去された記録領域に書き込みされる（図４（３）参照）。
【００２５】
故障状況データは、故障時の状況として、ＣＰＵ３３が、レンズユニット１０、カメラ本体３０の各部の動作状態をモニターし、このモニターによる情報に基づいて異常を検出した場合に、異常を検出した部位の状況のデータである。具体的には、故障状況データは、ズームレンズ１１、及びフォーカスレンズ１４の初期化エラーや電源の異常、ズームレンズ１１が動作出来ない状態、フォーカスレンズ１４が動作出来ない状態、シャッタ１３が動作出来ない状態、ＡＦＥ３１からＣＰＵ３３への信号が受信されない、外部カードインターフェース３６を介してカードとの通信が出来ない、メイン基板（不図示）の異常、ＲＯＭ３５に書き込みしたデータを読み出し出来ない等の少なくとも１つを有する。
【００２６】
ＥＥＰＲＯＭ１６に書き込みされた使用状況データ、及び故障状況データは、所定の装置を介して読み出し可能である。これらのデータに基づいて、使用者の使用状況を把握し、故障に関する原因を特定することが容易になる。撮像装置１は、ＥＥＰＲＯＭ１６に故障状況データを書き込む前に故障により動かなくなることも考えられる。この場合、故障状況データは得られないが、使用状況データに書き込まれたＣＰＵ３３のイベント情報（故障する直前のイベント情報）に基づいて故障に関する原因を特定することが可能である。
【００２７】
図４の（１）は、カメラ本体３０にレンズユニット１０が組み込まれる前で、０ｘ００００番地から０ｘ００ＦＦ番地にはレンズ識別データが書き込みされ、０ｘ０１００番地から０ｘ１ＦＦＦ番地にはレンズ調整値データが書き込まれるＥＥＰＲＯＭ１６のメモリＭＡＰを示す。
【００２８】
図４の（２）は、カメラ本体３０にレンズユニット１０が組み込み後で且つ撮像装置１が使用される前で、０ｘ００００番地から０ｘ００ＦＦ番地にはレンズ識別データが書き込みされ、０ｘ０１００番地から０ｘ１ＦＦＦ番地はレンズ調整値データが消去され空き状態であるＥＥＰＲＯＭ１６のメモリＭＡＰを示す。図４の（３）は、カメラ本体３０にレンズユニット１０が組み込まれた後で且つ撮像装置１の使用時（又は故障時）で、０ｘ００００番地から０ｘ００ＦＦ番地にはレンズ識別データが書き込みされ、０ｘ０１００番地から０ｘ１ＦＦＦ番地には使用状況データ、故障状況データの少なくとも一方が書き込まれるＥＥＰＲＯＭ１６のメモリＭＡＰを示す。
【００２９】
サーミスタ２５は、レンズユニット１０内のフォーカスレンズ１４近傍に設けられ、フォーカスレンズ１４周辺の温度を検出する。フォーカスレンズ１４周辺の温度情報は、使用状況データの１つとして使用され、フォーカスモータ２４の駆動量補正等にも使用される。
【００３０】
モータ駆動回路３２は、ＣＰＵ３３の制御の下で、ズームモータ２１、絞りドライブ２２、シャッタドライブ２３、及びフォーカスモータ２４を駆動する。
【００３１】
ＤＲＡＭ３４は、ＡＦＥ３１、ＣＰＵ３３によって画像信号に変換される画像処理動作時において撮像素子１５からの情報、画像作業領域などが一次記録される。
【００３２】
ＲＯＭ３５は、カメラ制御プログラム、及びＥＥＰＲＯＭ１６から読みとられたレンズ調整値データが格納される。
【００３３】
外部カードインターフェース３６は、図示しない記録媒体が接続されて、ＣＰＵ３３から出力された画像信号を、ＪＰＥＧファイルなどの所定のファイル形式で記録する。
【００３４】
操作部３７は、シャッタボタンなど、使用者による入力操作が行われた際に対応する制御信号をＣＰＵ３３に送る。
【００３５】
表示部３８は、ＣＰＵ３３からの画像信号に対応する画像や、操作画面などを表示する。
【００３６】
電源回路３９は、レンズユニット１０、及びカメラ本体３０の各部に電力を供給する。
【００３７】
次に、レンズユニット１０のＥＥＰＲＯＭ１６に、レンズ調整値データを書き込む手順を図２のフローチャートを使って説明する。レンズ調整値データの書き込みは、レンズユニット１０がカメラ本体３０に取り付けられる前、調整用被写体を光源として備えたレンズユニット調整装置（不図示）にレンズユニット１０を取り付けて行われる。レンズ調整値データ書き込み動作中は、レンズユニット１０の撮像素子１５、ＥＥＰＲＯＭ１６、ズームモータ２１、絞りドライブ２２、シャッタドライブ２３、及びフォーカスモータ２４は、レンズユニット調整装置の制御により駆動される。
【００３８】
ステップＳ１１で、レンズユニット１０が、レンズユニット調整装置に取り付けられる。ステップＳ１２で、撮像素子１５の出力調整が行われ、正常に動作するか否か判断される。ステップＳ１２で正常であると判断された場合は、ステップＳ１３で、ズームモータ２１、フォーカスモータ２４が駆動されて、ズーム端調整などズームレンズ１１、フォーカスレンズ１４の調整処理が行われ、ズームレンズ１１、フォーカスレンズ１４が正常に動作するか否か判断される。ステップＳ１３で正常であると判断された場合は、ステップＳ１４で、絞りドライブ２２、及びシャッタドライブ２３が駆動されて、シャッタディレイなど絞り１２、及びシャッタ１３の調整処理が行われ、絞り１２、及びシャッタ１３が正常に動作するか否か判断される。
【００３９】
ステップＳ１４で正常であると判断された場合は、ステップＳ１５で、ステップＳ１２〜Ｓ１４において行われた調整処理におけるデータ（レンズ調整値データ）と、レンズ識別データがＥＥＰＲＯＭ１６に書き込みされ、正常にＥＥＰＲＯＭ１６への書き込みが行われたか否かが判断される。レンズ調整値データは、調整処理後の、撮像素子１５の出力特性、ズームレンズ１１、及びフォーカスレンズのレンズ特性、シャッタディレイの値などシャッタ１３や絞り１２の特性である。ステップＳ１５で正常に書き込みされたと判断された場合は、ＥＥＰＲＯＭ１６への書き込み手順が終了される。
【００４０】
撮像素子１５の出力特性が、予め想定された出力調整範囲外である場合は、ステップＳ１２において正常でないと判断され、レンズ調整値データ書き込み手順が終了される。ズームレンズ１１、又はフォーカスレンズ１４の特性が予め想定された調整範囲外である場合は、ステップＳ１３において正常でないと判断され、レンズ調整値データ書き込み手順が終了される。シャッタディレイが、カメラ本体３０のソフトウエアで対応できる範囲外であるなど、絞り１２、又はシャッタ１３の特性が予め想定された調整範囲外である場合は、ステップＳ１４において正常でないと判断され、レンズ調整値データ書き込み手順が終了される。撮像素子１５の出力特性などが正常にＥＥＰＲＯＭ１６へ書き込みされない場合は、ステップＳ１５において正常でないと判断され、レンズ調整値データ書き込み手順が終了される。ステップＳ１２〜Ｓ１５の判断で正常でないと判断された場合のレンズユニット１０は、カメラ本体３０に組み込みされず、ステップＳ１２〜Ｓ１５の判断で正常であると判断されたレンズユニット１０だけが、カメラ本体３０に組み込みされる。
【００４１】
次に、レンズユニット１０をカメラ本体３０に組み込む手順を図３のフローチャートを用いて説明する。レンズユニット１０のカメラ本体３０への組み込みは、ＥＥＰＲＯＭ１６へのレンズ調整値データの書き込み終了後、カメラ組み立て装置（不図示）にレンズユニット１０を取り付けて行われる。レンズユニット１０がカメラ本体３０に組み込まれるまでは、レンズユニット１０の撮像素子１５、ＥＥＰＲＯＭ１６、ズームモータ２１、絞りドライブ２２、シャッタドライブ２３、及びフォーカスモータ２４は、カメラ組み立て装置の制御により駆動され、カメラ本体３０とカメラ組み立て装置は通信可能な状態にされる。
【００４２】
ステップＳ３１で、レンズユニット１０のＥＥＰＲＯＭ１６からレンズ調整値データがカメラ組み立て装置に読み込まれる。ステップＳ３２で、カメラ組み立て装置から、カメラ本体３０のＲＯＭ３５に、レンズ調整値データが書き込みされる。
【００４３】
ステップＳ３３で、レンズユニット１０のＥＥＰＲＯＭ１６のレンズ調整値データが消去される。これにより、ＥＥＰＲＯＭ１６にはレンズ識別データだけが記録された状態になり、レンズ調整値データ分だけ空き容量が増加する（図４参照）。但し、使用状況データ、及び故障状況データをＥＥＰＲＯＭ１６のレンズ調整値データが書き込みされた領域に上書きすれば、消去と同じ効果が得られるので、消去処理動作は無くてもよい。
【００４４】
ステップＳ３４で、レンズユニット１０とカメラ本体３０とが一体的に組み合わされて撮像装置１が完成する。
【００４５】
次に、撮像装置１の動作手順について図５のフローチャートを用いて説明する。ステップＳ５１で、撮像装置１の電源回路３９がオン状態にされる。オン状態にされた後、撮像装置１は、ＣＰＵ３３の制御によって、レンズユニット１０が初期化される。
【００４６】
ステップＳ５２で、初期化の際、例えば、ＣＰＵ３３がズームレンズ１１及びフォーカスレンズ１４を所定の位置へ移動制御したにも関わらず、ズームレンズ１１及びフォーカスレンズ１４が所定の位置に移動していなかった場合など、不具合が生じたか否かが判断される。不具合が生じず、初期化が正常に行われた場合は、ステップＳ５３で、使用者によりカメラ動作設定が行われる。カメラ動作設定は、ズーミング、撮像装置１のモード設定、レリーズスイッチのオンオフ制御などである。不具合が生じ、初期化が正常に行われなかった場合は、ステップＳ５４で、不具合に関する情報が故障状況データとして、ＥＥＰＲＯＭ１６に書き込みされる。
【００４７】
ステップＳ５５で、ステップＳ５３のカメラ動作設定に対応して撮像装置１の動作が行われる。このときのＣＰＵ３３のイベント情報が、使用状況データとして、ＥＥＰＲＯＭ１６に書き込みされる。
【００４８】
ステップＳ５６で、レンズユニット１０のカメラ動作が正常に行われたかどうかが判断される。正常に行われている場合は、ステップＳ５７で、撮像装置１の操作を継続するか否かが判断される。継続される場合は、ステップＳ５３に戻る。使用者により電源回路３９をオフ状態にする操作が行われるなど、継続しない場合は、ステップＳ５８で、撮像装置１がオフ状態にされる。
【００４９】
ステップＳ５６の判断で、レンズユニット１０のカメラ動作が正常に行われない場合は、ステップＳ５４で、正常に行われないことに関する情報が故障状況データとして、ＥＥＰＲＯＭ１６に書き込みされる。
【００５０】
本実施形態では、レンズユニット１０がカメラ本体３０に組み込み（実装）された後、レンズユニット１０が正常に動作している場合の使用状況データ、レンズユニット１０が正常に動作しない場合の故障状況データが、レンズユニット１０のＥＥＰＲＯＭ１６に書き込みされる。そのため、ＥＥＰＲＯＭ１６とデータ通信可能な環境を用意することにより、実装後であっても、レンズユニット１０に関するレンズデータ（レンズ使用データ、故障状況データ）を取得することが可能になる。
【００５１】
特に、故障状況データがレンズユニット１０内に記録されているので、撮像装置１を修理するために、レンズユニット１０とカメラ本体３０を分離させるなど、分解した場合に、レンズユニット１０とカメラ本体３０の組み合わせを管理が簡素化できる。また、カメラ本体３０のメイン基板が壊れた状態であっても、レンズユニット１０のＥＥＰＲＯＭ１６からレンズユニット１０またはカメラ本体３０の故障状況を知ることが可能になる。
【００５２】
また、故障時の状況だけでなく、正常に動作していた時の状況も使用状況データとしてＥＥＰＲＯＭ１６に記録されているので、修理等で撮像装置１を回収した際に、使用状況データを調べることにより使用者の使用状況を知ることが可能になる。使用者が行う、撮像装置１を設計する側の想定外の使用実態を知ることが可能になり、商品開発への情報を得るメリットがある。
【００５３】
また、故障状況データ、使用状況データは、ＥＥＰＲＯＭ１６の記録領域の中で、レンズ調整値データを格納するために使用していた領域であり、故障状況データ、及び使用状況データを記録するためＥＥＰＲＯＭ１６の記録容量を大きくする必要がない。
【００５４】
なお、本実施形態における撮像装置１は、デジタルカメラであるとして説明したが、フィルムタイプのカメラであってもよい。また、ズームレンズ１１、フォーカスレンズ１４は、モータによる動作制御に限らず、使用者の手動による動作制御であってもよい。
【図面の簡単な説明】
【００５５】
【図１】本実施形態における撮像装置の構成図である。
【図２】レンズユニットにレンズ調整値データを書き込む手順を示すフローチャートである。
【図３】レンズユニットをカメラ本体に組み込む手順を示すフローチャートである。
【図４】ＥＥＰＲＯＭのメモリＭＡＰを示す図である。
【図５】撮像装置の動作手順を示すフローチャートである。
【符号の説明】
【００５６】
１  撮像装置
１０  レンズユニット
１１  ズームレンズ
１２  絞り
１３  シャッタ
１４  フォーカスレンズ
１５  撮像素子
１６  ＥＥＰＲＯＭ
２１  ズームモータ
２２  絞りドライブ
２３  シャッタドライブ
２４  フォーカスモータ
２５  サーミスタ
３０  カメラ本体
３１  ＡＦＥ
３２  モータ駆動回路
３３  ＣＰＵ
３４  ＤＲＡＭ
３５  ＲＯＭ
３６  外部カードインターフェース
３７  操作部
３８  表示部
３９  電源回路
【図１】
2007057796.tif 000003
【図２】
2007057796.tif 000004
【図３】
2007057796.tif 000005
【図４】
2007057796.tif 000006
【図５】
2007057796.tif 000007